(57)【特許請求の範囲】
【請求項１】
水タンク内の水を飛散させ壁面に衝突させて負イオンを含む微細水滴を発生する手段と、前記水タンクの水を加温する手段と、空気を吸入して前記微細水滴と混合する手段と、前記混合手段で混合された空気と前記微細水滴を水滴分離ネットに通過させ、前記微細水滴の大きさをネットの密度により制御することで混合された前記空気の含有する水分を制御して前記空気に負イオンを含ませる手段と、前記負イオンを含む空気を放出する手段を有することを特徴とする負イオン発生装置。
【請求項２】
水タンクの水を加温する手段が、水タンクの周囲または内部に配されたヒーターである請求項１に記載の負イオン発生装置。
【請求項３】
空気を加温する手段を有する請求項１に記載の負イオン発生装置。
【請求項４】
水タンクに温水を供給する手段を有する請求項１に記載の負イオン発生装置。
【請求項５】
水タンク内にコイルチューブを有するまたは、コイルチューブ内にチューブを有し、水を加温する手段がボイラであり、前記ボイラの温水パイプが前記コイルチューブに連結されており、前記コイルチューブに前記ボイラにより温水を循環供給する請求項１に記載の負イオン発生装置。
【請求項６】
水タンクの水を加温する手段が浴室暖房乾燥機であり、前記浴室暖房乾燥機から供給される温風または温水により前記水タンクの水または真気ユニットの吸込空気を加温する請求項１に記載の負イオン発生装置。
【請求項７】
浴室暖房乾燥機の温風路を分岐して水タンクに温風を吹き付け、前記水タンク内の水と熱交換して加温する請求項６に記載の負イオン発生装置。
【請求項８】
浴室暖房乾燥機の温風路を分岐して温風を真気ユニットの吸込空気として供給する請求項６に記載の負イオン発生装置。
【請求項９】
浴室暖房乾燥機の温水路を分岐し、水タンク内の水を前記分岐した温水路から供給される循環温水で熱交換して加温する請求項６に記載の負イオン発生装置。
【請求項１０】
浴室暖房乾燥機の温水路を分岐し、前記分岐した温水路から供給される温水を水タンクに直接供給する請求項６に記載の負イオン発生装置。
【請求項１１】
浴室内に請求項１〜１０のいずれかに記載の負イオン発生装置から負イオンを含む空気を放出する手段と、浴室内を暖房する浴室暖房乾燥機を有し、少なくとも前記負イオンを含む空気により浴室内を加温および加湿することを特徴とするサウナ装置。
【請求項１２】
負イオン発生装置が浴室内または天井裏に配された請求項１１に記載のサウナ装置。
【請求項１３】
負イオン発生装置が浴室外または天井裏に配され、前記負イオン発生装置と浴室とを連結するダクトが設けられ、負イオンを含む空気が前記ダクトを通じて浴室内に放出される請求項１１に記載のサウナ装置。
【請求項１４】
負イオン発生装置が浴室外または天井裏に配され、前記負イオン発生装置と浴室暖房乾燥機とを連結するダクトが設けられ、負イオンを含む空気が前記ダクトと浴室暖房乾燥機を通じて浴室内に放出される請求項１１に記載のサウナ装置。
【請求項１５】
負イオン発生装置と浴室暖房乾燥機が一体に構成された請求１１に記載のサウナ装置。
【請求項１６】
負イオン発生装置および浴室暖房乾燥機が共通のリモコンで運転制御される請求項１１に記載のサウナ装置。
【請求項１７】
浴室内の温度を３５℃〜６０℃に加温し、湿度を６０％以上に加湿する請求項１１〜１５のいずれかに記載のサウナ装置。
【発明の詳細な説明】
【０００１】
【発明の属する技術分野】
本発明は、レナード現象を利用して空気中に負イオンを発生させる負イオン発生装置およびそれを使用したサウナ装置に関する。
【０００２】
【従来の技術】
レナード現象は、水滴が空気中で分裂したときに付近の空気が電離されて、空気中に負イオンが発生し、同時にこれと等量の正イオンに帯電した微細水滴が発生する現象である。この現象は、降水時や滝の近辺で発声することがよく知られている。
【０００３】
空気の電離によって発生する負イオンと正イオンによる人体への影響はたとえば特開平７−１２４２２３号公報に記載されているように、一般に負イオンは神経を鎮静化させ、正イオンは神経を興奮させることが知られている。また、負イオンは除塵、除菌、脱臭、帯電防止効果などがあることも知られており、近年この点に着目して負イオンを利用した健康増進技術が脚光を浴びている。
【０００４】
たとえば、サウナ（特開平７−１２４２２３号公報、特開２０００−３２５４２４号公報）、エアーシャワー装置（特開平８−８６４８１号公報）、空気清浄装置（特開平１１−１９７５４１号公報）、エアコン（特開２０００−１２１０８７号公報）などが知られている。
【０００５】
【発明が解決しようとする課題】
しかし、特開平７−１２４２２３号公報および特開２０００−３２５４２４号公報における負イオン発生装置は設備が比較的大形であり、一般家庭における小さな居住空間に設置しにくい。また、特開平８−８６４８１号公報においては、マイナスイオンを発生するのに高電圧を必要とする。特開平１１−１９７５４１号公報はＸ線を利用するので一般家庭向きではない。特開２０００−１２１０８７号公報は、トルマリンなど特殊な部品を利用している。
【０００６】
本発明は、以上の課題を解決するもので、装置が小型であり、かつ高電圧やＸ線など特殊な設備を使用せずに、一般家庭で手軽に使用することができ、負イオンが暖かい空気に含まれるように放出する負イオン発生装置を提供することを目的とするものである。
【０００７】
また、本発明は、構成が小型で、操作が簡単であり、既存の浴室を簡単にサウナ室とすることができるサウナ装置を提供することを目的とするものである。
【０００８】
【課題を解決するための手段】
本発明の請求項１に記載の負イオン発生装置は、水タンク内の水を飛散させ壁面に衝突させて負イオンを含む微細水滴を発生する手段と、水タンクの水を加温する手段と、空気を吸入して微細水滴と混合する手段と、混合手段で混合された空気と前記微細水滴を水滴分離ネットに通過させ、前記微細水滴の大きさをネットの密度により制御することで混合された前記空気の含有する水分を制御して空気に負イオンを含ませる手段と、負イオンを含む空気を放出する手段を有するものである。
【０００９】
本発明の請求項２に記載の負イオン発生装置は、請求項１に記載の構成において、水タンクの水を加温する手段が水タンクの周囲または内部に配されたヒーターであるものである。
【００１０】
本発明の請求項３に記載の負イオン発生装置は、請求項１に記載の構成において、空気を加温する手段を有するものである。
【００１１】
本発明の請求項４に記載の負イオン発生装置は、請求項１に記載の構成において、水タンクに温水を供給する手段を有するものである。
【００１２】
本発明の請求項５に記載の負イオン発生装置は、請求項１に記載の構成において、水タンク内にコイルチューブを有するまたは、コイルチューブ内にチューブを有し、水を加温する手段がボイラであり、前記ボイラの温水パイプが前記コイルチューブに連結されており、前記コイルチューブに前記ボイラにより温水を循環供給するものである。
【００１３】
本発明の請求項６に記載の負イオン発生装置は、請求項１に記載の構成において、前記水タンクの水を加温する手段が浴室暖房乾燥機であり、前記浴室暖房乾燥機から供給される温風または温水により水タンクの水または真気ユニットの吸込空気を加温するものである。
【００１４】
本発明の請求項７に記載の負イオン発生装置は、請求項６に記載の構成において、浴室暖房乾燥機の温風路を分岐して水タンクに温風を吹き付け、水タンク内の水と熱交換して加温するものである。
【００１５】
本発明の請求項８に記載の負イオン発生装置は、請求項６に記載の構成において、浴室暖房乾燥機の温風路を分岐して温風を真気ユニットの吸込空気として供給するものである。
【００１６】
本発明の請求項９に記載の負イオン発生装置は、請求項６に記載の構成において、浴室暖房乾燥機の温水路を分岐し、水タンク内の水を前記分岐した温水路から供給される循環温水で熱交換して加温するものである。
【００１７】
本発明の請求項１０に記載の負イオン発生装置は、請求項６に記載の構成において、浴室暖房乾燥機の温水路を分岐し、前記分岐した温水路から供給される温水を水タンクに直接供給するものである。
【００１８】
本発明の請求項１１に記載のサウナ装置は、請求項１〜１０のいずれかに記載の負イオン発生装置から負イオンを含む空気を放出する手段と、浴室内を暖房する浴室暖房乾燥機を有し、少なくとも負イオンを含む空気により浴室内を加温および加湿するものである。
【００１９】
本発明の請求項１２に記載のサウナ装置は、請求項１１に記載の構成において、負イオン発生装置が浴室内または天井裏に配されたものである。
【００２０】
本発明の請求項１３に記載のサウナ装置は、請求項１１に記載の構成において、負イオン発生装置が浴室外または天井裏に配され、負イオン発生装置と浴室とを連結するダクトが設けられ、負イオンを含む空気がダクトを通じて浴室内に放出されるものである。
【００２１】
本発明の請求項１４に記載のサウナ装置は、請求項１１に記載の構成において、負イオン発生装置が浴室外または天井裏に配され、負イオン発生装置と浴室暖房乾燥機とを連結するダクトが設けられ、負イオンを含む空気がダクトと浴室暖房乾燥機を通じて浴室内に放出されるものである。
【００２２】
本発明の請求項１５に記載のサウナ装置は、請求項１１に記載の構成において、負イオン発生装置と浴室暖房乾燥機が一体に構成されたものである。
【００２３】
本発明の請求項１６に記載のサウナ装置は、請求項１１に記載の構成において、負イオン発生装置および浴室暖房乾燥機が共通のリモコンで運転制御されるものである。
【００２４】
本発明の請求項１７に記載のサウナ装置は、請求項１１〜１５のいずれかに記載の構成において、浴室内の温度を３５℃〜６０℃に加温し、湿度を６０％以上に加湿するものである。
【００２５】
【発明の実施の形態】
本発明の請求項１に記載の負イオン発生装置は、水タンク内の水を飛散させ壁面に衝突させて負イオンを含む微細水滴を発生する手段と、水タンクの水を加温する手段と、空気を吸入して微細水滴と混合する手段と、混合手段で混合された空気と前記微細水滴を水滴分離ネットに通過させ、前記微細水滴の大きさをネットの密度により制御することで混合された前記空気の含有する水分を制御して空気に負イオンを含ませる手段と、負イオンを含む空気を放出する手段を有するので、装置が小型であり、かつ高電圧やＸ線など特殊な設備を使用せずに、負イオンを暖かい空気に含ませて発生させる負イオン発生装置を提供することができる。
【００２６】
本発明の請求項２に記載の負イオン発生装置は、請求項１に記載の構成において、水タンクの水を加温する手段が、水タンクの周囲または内部に配されたヒーターであるので、装置が小型であり、かつ可搬形の構成で負イオンを暖かい空気に含ませて発生させる負イオン発生装置を提供することができる。
【００２７】
本発明の請求項３に記載の負イオン発生装置は、請求項１に記載の構成において、空気を加温する手段を有するので、熱源機等と連動させて負イオンを暖かい空気に含ませて発生させる負イオン発生装置を提供することができる。
【００２８】
本発明の請求項４に記載の負イオン発生装置は、請求項１に記載の構成において、水タンクに温水を供給する手段を有するので、温水を利用した暖房機や集中給湯器の給湯路、台所などに設置する小型湯沸機等に連動させて負イオンを暖かい空気に含ませて発生させる負イオン発生装置を提供することができる。
【００２９】
本発明の請求項５に記載の負イオン発生装置は、請求項１に記載の構成において、水タンク内にコイルチューブを有するまたは、コイルチューブ内にチューブを有し、水を加温する手段がボイラであり、前記ボイラの温水パイプが前記コイルチューブに連結されており、前記コイルチューブに前記ボイラにより温水を循環供給するので、負イオンを暖かい空気に含ませて発生させる負イオン発生装置の熱と水の損失が少なく、省エネルギ効果に優れた負イオン発生装置を提供することができる。
【００３０】
本発明の請求項６に記載の負イオン発生装置は、請求項１に記載の構成において、水タンクの水を加温する手段が浴室暖房乾燥機であり、前記浴室暖房乾燥機から供給される温風または温水により前記水タンクの水または真気ユニットの吸込空気を加温するので、水を加温する熱源が浴室暖房乾燥機と共用され特別な熱源を必要とせずに、負イオンを暖かい空気に含ませて発生させる負イオン発生装置を提供することができる。
【００３１】
本発明の請求項７に記載の負イオン発生装置は、請求項６に記載の構成において、浴室暖房乾燥機の温風路を分岐して水タンクに温風を吹き付け、前記水タンク内の水と熱交換して加温するので、水を加温する熱源が浴室暖房乾燥機と共用され特別な熱源を必要とせずに、負イオンを暖かい空気に含ませて発生させる負イオン発生装置を提供することができる。
【００３２】
本発明の請求項８に記載の負イオン発生装置は、請求項６に記載の構成において、浴室暖房乾燥機の温風路を分岐して温風を真気ユニットの吸込空気として供給するので、特別な熱源を必要とせずに、負イオンを暖かい空気に含ませて発生させる負イオン発生装置を提供することができる。
【００３３】
本発明の請求項９に記載の負イオン発生装置は、請求項６に記載の構成において、浴室暖房乾燥機の温水路を分岐し、水タンク内の水を前記分岐した温水路から供給される循環温水で熱交換して加温するので、水を加温する熱源が浴室暖房乾燥機と共用され特別な熱源を必要とせずに、負イオンを暖かい空気に含ませて発生させる負イオン発生装置を提供することができる。
【００３４】
本発明の請求項１０に記載の負イオン発生装置は、請求項６に記載の構成において、浴室暖房乾燥機の温水路を分岐し、前記分岐した温水路から供給される温水を水タンクに直接供給するので、浴室暖房乾燥機で使用される温水を水タンクの水として共用し、負イオンを暖かい空気に含ませて発生させる負イオン発生装置を提供することができる。
【００３５】
本発明の請求項１１に記載のサウナ装置は、請求項１〜１０のいずれかに記載の負イオン発生装置から負イオンを含む空気を放出する手段と、浴室内を暖房する浴室暖房乾燥機を有し、少なくとも負イオンを含む空気により浴室内を加温および加湿するので、浴室内を空気が負イオンを大量に含んだ状態で湿式サウナにすることができる。したがって、通常の湿式サウナの作用効果に加え、負イオンによる人体への健康増進効果も付加される。
【００３６】
また、サウナを使用後浴室暖房乾燥機を乾燥モードまたは換気モードで運転することにより浴室内の乾燥、換気を急速に行うことができる。
【００３７】
また、浴室暖房乾燥機が既設の浴室に負イオン発生装置を付け足すだけでサウナ環境に負イオンを含んだ真気サウナ装置を実現することができる。
【００３８】
本発明の請求項１２に記載のサウナ装置は、請求項１１に記載の構成において、負イオン発生装置が浴室内または天井裏に配されたので、サウナ装置の運転操作が簡単で、運転状況の確認も容易である。
【００３９】
本発明の請求項１３に記載のサウナ装置は、請求項１１に記載の構成において、負イオン発生装置が浴室外または天井裏に配され、負イオン発生装置と浴室とを連結するダクトが設けられ、負イオンを含む空気がダクトを通じて浴室内に放出されるので、浴室が狭い場合に好適である。
【００４０】
また、浴室暖房乾燥機が既設の浴室に負イオン発生装置を付け足すだけでサウナ環境に負イオンを含んだ真気サウナ装置を実現することができる。
【００４１】
本発明の請求項１４に記載のサウナ装置は、請求項１１に記載の構成において、負イオン発生装置が浴室外または天井裏に配され、前記負イオン発生装置と浴室暖房乾燥機とを連結するダクトが設けられ、負イオンを含む空気が前記ダクトと浴室暖房乾燥機を通じて浴室内に放出されるので、浴室内が正圧にならず、湿気が浴室外へ洩れにくい真気サウナ装置を実現することができる。
【００４２】
本発明の請求項１５に記載のサウナ装置は、請求項１１に記載の構成において、負イオン発生装置と浴室暖房乾燥機が一体に構成されたので、真気サウナ装置としての構成をコンパクトにすることができる。
【００４３】
本発明の請求項１６に記載のサウナ装置は、請求項１１に記載の構成において、負イオン発生装置および浴室暖房乾燥機が共通のリモコンで運転制御されるので、サウナ装置としてはもちろん、負イオン発生装置および浴室暖房乾燥機の単独運転も簡単な操作で行うことができる。
【００４４】
本発明の請求項１７に記載のサウナ装置は、請求項１１〜１５のいずれかに記載の構成において、浴室内の温度を３５℃〜６０℃に加温し、湿度を６０％以上に加湿するので、快適なサウナ環境でサウナ効果を的確に実感することが出来る。
【００４５】
【実施例】
以下本発明の実施例について、図面とともに詳細に説明する。
【００４６】
（実施例１）
図１は本発明による負イオン発生装置の実施例１における全体構成を示す概念的ブロック図である。負イオン発生装置２０は、真気ユニット２１、水タンク２５および水タンクの周囲または内部に配置されたヒーター２６により構成される。
【００４７】
なお、外部から真気ユニット２１に温水を直接供給する構成とすれば水タンク２５およびヒーター２６を省略することも可能である。
【００４８】
真気ユニット２１は水タンク２５から水を吸入して噴射させ、壁面に衝突させることにより負イオンを含む微細水滴を発生させ、この微細水滴を空気とともに気水分離機に導き、気体成分を分離して負イオンを含んだ空気２３を放出する。水タンク２５内の水はヒーター２６により加温されて真気ユニット２１に温水を供給するので、真気ユニット２１で生成される微細水滴も温水である。したがって、負イオンを含んだ空気２３も暖かい空気として放出される。
【００４９】
図２は実施例１における負イオン発生装置２０の一部断面側面図である。ハウジング１の下方側面に空気の吸込口２、上端面に空気の吹出口３が形成される。ハウジング１の内部にはモーター４を支持するフレーム５が設けられ、その上に内部ケーシング１３が設けられる。内部ケーシング１３内にはモーター４が設けられ、モーター４の上部シャフト軸４ａには軸流ファン６がナット８により固定されている。軸流ファン６の上方の内部ケーシング１３内には空気と水を分離するための気水分離器１２が設けられ、内部ケーシング１３の天面に吹出口３が連通している。
【００５０】
モーター４の下部シャフト軸４ｂには弾性体で形成された中空円錐状の吸水管９が取り付けられている。
【００５１】
吸水管９の先端には水を吸い上げる吸水口９ａが開口しており、吸水管９の上部には吸い上げた水を周囲に飛散させる回転板９ｂが設けられる。回転板９ｂの周囲には回転板９ｂから飛散される水を衝突させるための対向壁面１４が円環状に配置されている。吸水管９の吸水口９ａは本体１の底部に着脱可能に設けられた金属製の水タンク２５内の水中に挿入されている。水タンク２５の下方には、水タンク２５内の水を加温するヒーター２６が配置されている。
【００５２】
以上の構成で水タンク２５およびヒーター２６以外の部分が図１における真気ユニット２１に相当する。
【００５３】
水タンク２５内の水をヒーター２６で加温し、モーター４を駆動すると、吸込口２から空気が吸い込まれる。また、軸流ファン６とともに吸水管９が回転し、その遠心力により水タンク２５内の温水が吸水管９の吸水口９ａから吸引されて吸水管９ａ内部を上昇し、回転板９ｂの回転に沿って円周方向に飛散する。飛散した温水は対向壁面１４に衝突し、レナード効果により負イオンを帯電した微細な温水滴が生成される。微細化されなかった大きな水滴は重力により水タンク２５に戻される。
【００５４】
微細化された温水滴は吸込口２から吸い込まれた空気と混合され、軸流ファン６を通過して気水分離器１２に供給される。気水分離器１２では空気と水とを分離し、分離された水成分は重力により水タンク２５に戻される。また、一部の水滴は軸流ファン６を通過するときに羽根部分に当たり、遠心力により内部ケーシング１３の内面に飛ばされて落下し水タンク２５に戻される。一方分離された空気成分はレナード効果により生成された負イオンを含んで吹出口３から放出される。
【００５５】
気水分離器１２は、水滴分離ネット７等により空気と水滴を分離するが、この水滴分離ネットを通過させる水滴の大きさをネットの密度などにより制御することにより気水分離器１２を通過する空気が含有する水分、即ち湿度を制御することができる。したがって、湿度の高い梅雨どきや夏季はネットの密度を大きくして気水分離器１２を通過する水滴量が小さくなるように水滴通過量を減少させ、湿度が低い冬季はネットの密度を小さくして気水分離器１２を通過する水滴量が多くなるようにして水滴通過量を増加させ、負イオンを含む空気の湿度を制御することができる。
【００５６】
放出された空気は負イオンを含んでいるので、滝のそばや森林の空気のようにさわやかな空気となり健康増進に資することができる。また、負イオンを温水の対向壁面１４への衝突により生成させ、これを空気とともに放出させているので放出される空気も暖かく、冬季の暖房時に使用しても室温を下げることがない。なお、夏季にはヒーター２６を断にすれば放出される空気は暖められることなく負イオンを含んだ空気を放出することができる。このとき、放出された水分の気化熱により使用者は涼風感を得ることができる。
【００５７】
また、放出される空気は気水分離器１２で水分として分離されなかった超微細水分を含んでいるので、冬季の加湿器として好適である。
【００５８】
さらに、水が空気中のハウスダストや臭いのフィルターとして作用するので、空気清浄器としても機能することができる。この場合、水タンク２５の水はハウスダストによる汚れや雑菌の繁殖を防止するため定期的に交換することが望ましい。
【００５９】
なお、給排水弁を使って自動的に水を入れ換えたり、高温（例えば７０℃以上）の水を流すことのよって雑菌を減らすことも可能である。
【００６０】
上記の実施例においては、回転板９ｂの上方に軸流ファン６および気水分離器１２を設けた縦長構成の負イオン発生装置２０について説明したが、回転板９ｂの横方向に軸流ファン６および気水分離器１２を並べて横長構成にすることもできる。
【００６１】
また、上記の実施例においては、水タンク２５内の温水を吸水管９により吸い上げて給水しているが、吸水管９のかわりにポンプなどにより給水してもよい。また、水タンク２５、ヒーター２６および吸水管９を省略し、電気ボイラなどの温水給湯機から直接温水を供給してもよい。
【００６２】
本実施例の負イオン発生装置は小型に構成できるので、家屋や事務所などの任意の場所に自由に移動、設置させることができる。また、横長構成にすることにより天井裏などに設置することが可能である。
【００６３】
（実施例２）
図３は負イオン発生装置２０の第２の実施例における一部断面側面図である。負イオン発生装置２０は大きく分けて送風部としてのファン５１、送水部としてのポンプ５２および空気清浄部５３から構成される。空気清浄部５３は水の噴射部５４および気水分離部５５を備えている。ファン５１の回転により空気吸込口（図示を省略）から吸い込まれた空気は、送風箱６１を通って筒受け５８の送風口６０から噴射部５４に入り、ここで後述するように微細水滴と混合する。
【００６４】
空気清浄部５３の下方には水タンク５９が配置され、水タンク５９の底面または側面にヒーター６４が近接配置され、水タンク５９の下方にはポンプ５２が配置される。ヒーター６４で加温された水タンク５９の温水はポンプ５２で噴射部５４に送水される。
【００６５】
噴射部５４は複数のノズル６２、６３を有し、ポンプ５２で送水された温水を空気清浄部５３の外枠である円筒５７の内壁に吹き付けて衝突させると、レナード効果により負イオンを帯電した微細な温水粒子が生成される。この微細温水粒子はファン５１で取り込まれた空気と接触混合し、微細温水粒子混合空気となる。
【００６６】
このとき、空気中の塵埃も水と接触し、水分の大半は筒受け５８に落下するので空気は清浄化される。微細温水粒子混合空気は気水分離部５５に送られて水分と空気に分離され、ここでも粒の大きい水分は筒受け５８に落下し空気中の塵埃が除去される。筒受け５８に落下した水分は水タンク５９に回収される。一方分離された空気成分はレナード効果により生成された負イオンとともに吹出口（図示省略）から放出される。放出された空気は負イオンを含んでいるので、実施例１と同様な作用効果を有する。
【００６７】
なお、図３の例ではノズル６２、６３、送風箱６１およびポンプ５２を複数使用しているが、使用する部屋の大きさや放出空気量などに応じて使用数を変更して１個（１台）から複数個（複数台）まで任意に変更できることはもちろんである。
【００６８】
気水分離器５５は、実施例１における気水分離器１２と同様に水滴分離ネットを通過させる水滴の大きさをネットの密度などにより制御して気水分離器５５を通過する空気が含有する水分、即ち湿度を制御することができる。
【００６９】
以上の構成で水タンク５９およびヒーター６４以外の部分が図１における真気ユニット２１に相当する。
【００７０】
上記の実施例においては、ポンプ５２、水タンク５９、噴射部５４、気水分離部５５を縦方向に配置した例について説明したが、これらを横方向に並べた横長構成にすることもできる。横長構成の場合は天井裏など高さに制限がある設置場所に好適である。
【００７１】
実施例１と同様に、冬季の加湿器としてあるいは空気清浄器として利用することができる。
【００７２】
また、小型に構成できるので、家屋や事務所などの任意の場所に自由に移動、設置させることができる。
【００７３】
（実施例３）
図４は本発明による負イオン発生装置２０の実施例３における全体構成を示す概念的ブロック図である。真気ユニット２１および水タンク２５は図１の実施例１と同様である。
【００７４】
本実施例においては、図１のヒーター２６の代わりに吸込空気１８を加温する加温器２７を使用する。加温器２７は吸込空気１８を加温して温風を発生し、この温風を真気ユニット２１に供給する。加温器２７の熱源は、水を加温してその周囲の空気を加温する温水熱源方式およびヒーターまたはヒートポンプにより空気を加温する電気熱源方式のいずれでもよい。加温器２７で熱交換された後の空気は真気ユニット２１で負イオンを含んだ吹出空気２３となる。その他の構成および作用効果は実施例１または実施例２と同様であるので説明を省略する。
【００７５】
この構成は加温器２７が温水熱源方式やヒートポンプ方式の場合には熱源機２８が必要なので可搬形にすることは比較的困難である。したがって、熱源機２８と連動させる設置形とすることが好ましい。
【００７６】
（実施例４）
図５は本発明による負イオン発生装置の実施例４における全体構成を示す概念的ブロック図である。真気ユニット２１および水タンク２５は図１の実施例１と同様である。
【００７７】
本実施例においては、図１のヒーター２６の代わりに水タンク２５に温水を供給する給湯器２９を使用する。給湯器２９は水を加温して温水を作成し、この温水を水タンク２５に供給して真気ユニット２１に温水を供給する。水タンク２５で水温が下がったり、汚れたため不要となった水は排水管１９から外に排水される。
【００７８】
この場合、給湯器２９から温水を給湯する給水弁および排水管１９から排水するための排水弁を設けて、水タンク２５の水温が下がったり、水が雑菌などで汚れた場合などに給水弁と廃水弁を開けて水タンク２５内の古い水を排水し給湯器２９から新しい温水を供給することも可能である。その他の構成および作用効果は実施例１〜２と同様であるので説明を省略する。
【００７９】
この構成も水タンク２５に温水を供給する給湯器２９が必要なので、可搬形にすることは比較的困難である。したがって、温水を利用した暖房機や集中給湯器の給湯路を分岐したり、台所などに設置する小型湯沸機等に連結して設置形とすることが好ましい。
【００８０】
（実施例５）
図６は本発明による負イオン発生装置２０の実施例５における全体構成を示す概念的ブロック図である。真気ユニット２１は図１の実施例１と同様である。
【００８１】
本実施例においては、水タンク３０内に温水を流すコイルチューブ３０１が設けられ、このコイルチューブ３０１をボイラ３１の温水パイプに連結する。ボイラ３１から供給される温水はコイルチューブ３０１内を通過し再びボイラ３１に循環させる。この結果、水タンク３０の水は加温される。
【００８２】
この実施例においては、温水はボイラ３１とコイルチューブ３０１内を循環するので排水されることはない。したがって、熱損失が少なく省エネルギ効果に優れている。ボイラ３１は専用のものでもセントラルヒーティングその他に利用される各種のボイラを兼用してもよい。この構成も設置形とすることが好ましい。
【００８３】
なお、本実施例では水タンク３０内にコイルチューブ３０１を設けているが、図７のように、外部配管に市水をポンプ（図示せず）等で流しながら内部配管にボイラ３１の温水を流す一般的な二重管による水−水熱交換器３０２や、図８のように、フィン＆チューブコイル３０３にボイラ３１からの温水と水タンク３０の水を流して水を加温してもよい。
【００８４】
また、ボイラ３１側にコイルチューブ３０１および水タンク３０を設けるようにしてもよい。
【００８５】
その他の構成および作用効果は実施例１〜２と同様であるので説明を省略する。
【００８６】
（実施例６）
図９は本発明による負イオン発生装置２０の実施例６における全体構成を示す概念的ブロック図である。真気ユニット２１は図１の実施例１と同様である。
【００８７】
本実施例は負イオン発生装置２０を浴室暖房乾燥機３２と連動させ、水タンク３０の水または真気ユニット２１の吸込空気を浴室暖房乾燥機３２を利用して加温する。加温方法は、浴室暖房乾燥機３２の温風路を分岐して水タンク３０に温風を吹き付け、水タンク３０内の水と熱交換して加温する方法、浴室暖房乾燥機３２の温風を真気ユニット２１に供給する方法、浴室暖房乾燥機３２の温水路を分岐し水タンク内の水を分岐した温水路から供給される温水をコイルチューブに循環させて熱交換し加温する方法、および、浴室暖房乾燥機３２の温水路を分岐し、前記分岐した温水路から供給される温水を水タンク３０に直接供給する方法のいずれでもよい。浴室暖房乾燥機３２は温水熱源方式およびヒーターまたはヒートポンプにより空気を加温する電気熱源方式のいずれでもよい。その他の構成および作用効果は実施例１〜２と同様であるので説明を省略する。
【００８８】
この構成は、負イオン発生装置２０を浴室暖房乾燥機３２と連動させるので、浴室暖房乾燥機３２が使用される空間である浴室または洗面所、トイレなどのサニタリ空間に設置する設置形とすることが好ましい。
【００８９】
（実施例７）
図１０は本発明による負イオン発生装置４２を使用したサウナ装置の第１の実施例を示す概念図である。浴室４０には、浴槽４１、本発明による負イオン発生装置４２、および浴室暖房乾燥機４３が設置される。負イオン発生装置４２は実施例１〜６で説明したいずれのもの、または高電圧を利用してマイナスイオンを発生させる方式でもよいが、浴室暖房乾燥機４３が併設されるので実施例１、２および６で説明したいずれかのものである方が設備がコンパクトになるので好ましい。浴室暖房乾燥機４３は現在商用化されている種々の方式のものが使用可能であり、特定のものである必要はない。負イオン発生装置４２と浴室暖房乾燥機４３は連動して運転され、負イオン発生装置４２に設けられたリモコン制御窓４６にリモコン４４から制御信号を入射させて運転を制御する。なお、リモコン制御窓４６は浴室暖房乾燥機４３に設置してもよい。リモコン４４は、負イオン発生装置４２および浴室暖房乾燥機４３をそれぞれ単独または連動して制御可能な操作ボタンを有しており、ワイヤレスまたはワイヤード方式で制御する。
【００９０】
次に運転方法を説明する。まず、通常の入浴時に負イオンを含んだ空気を発生させたい場合には、リモコン４４で負イオン発生装置４２を運転させると、負イオンを含んだ空気が放出される。
【００９１】
浴室暖房乾燥機４３を運転させたい場合には、リモコン４４で浴室暖房乾燥機４３を運転させると、浴室４０内が暖房される。
【００９２】
サウナ装置として運転させる場合は、リモコン４４で浴室暖房乾燥機４３と負イオン発生装置４２を運転させ、浴室内の温度を３５℃〜６０℃、好ましくは４０℃〜５０℃になるように負イオンを含んだ空気の温度を上昇させる。これは負イオン発生装置４２で使用させる温水の温度を上昇させるようにリモコンで制御することにより行われる。なお、この温度上昇は負イオン発生装置４２と浴室暖房乾燥機４３を連動させて運転し、浴室暖房乾燥機４３による暖房温度を上昇させることによって、あるいは両者を併用して上昇させるようにしてもよい。
【００９３】
また、浴室内の湿度が６０％以上、好ましくは９０％以上になるように負イオンを含んだ空気の湿度を制御する。湿度が６０％以上であることは、負イオンを含んだ空気がかなりの量の水滴を含んでいる必要がある。したがって、負イオン発生装置４２に使用する気水分離器は相当量の水滴を空気とともに通すようにする必要がある。このため、本実施例におけるサウナ装置に使用する気水分離器は、水滴分離ネットの密度を小さくする必要があり、通常はサウナ装置専用の水滴分離ネットを用意して設置する。なお、この湿度制御は浴槽内の温水から蒸発する湯気を併用したり、超音波素子を用いた加湿手段を前記浴室暖房乾燥機４３や前記負イオン発生装置４２に設けたり、連動させてもよいが、その分負イオン量が減少するので併用量には限度がある。
【００９４】
こうして浴室内の温度が３５℃〜６０℃、湿度が６０％以上に制御され、かつ負イオン発生装置４２で発生させた負イオンが浴室内に放出されると、浴室内を空気が負イオンを大量に含んだ状態で湿式サウナを実現することができる。このような空気中に負イオンを大量に含んだ湿式の真気サウナによれば、通常の湿式サウナの作用効果を呈するだけでなく、負イオンによる人体への健康増進効果も付加される。具体的には、肌への水分の働き作用が負イオンがなかったり少ない場合に比較して増大し、肌の潤いや保湿効果が増大しサウナ効果の持続性にも優れる。また、森林浴しながらサウナに浸っている状況になるので、自律神経が鎮静化してリラクゼーション効果が得られ、また、血管が拡張して血液の流れがスムースになり、血圧が安定するなど身体機能の活性化も図れる。
【００９５】
また、夏季に浴室暖房乾燥機４３を涼風運転し、負イオン発生装置４２に水を供給して運転すると、水の蒸発潜熱により一層涼風感が得られる。
【００９６】
また、浴室暖房乾燥機４３は浴室の換気乾燥機としての機能を有しているので、サウナを使用後浴室暖房乾燥機４３を乾燥モードまたは換気モードで運転することにより浴室内の乾燥、換気が急速に行われ、速やかに平常時の状態に戻すことができる。
【００９７】
また、サウナ装置としての設備がすべて浴室内にあるので、運転操作が簡単で、運転状況の確認も容易である。
【００９８】
この実施例は、すでに浴室暖房乾燥機が設置された浴室に負イオン発生装置を付け足して配線工事、配管工事をすることによりサウナ環境に負イオンを含んだ真気サウナ装置を実現することができる。
【００９９】
なお、上記の実施例では浴室４０内に負イオン発生装置４２および浴室暖房乾燥機４３を設置した場合について説明したが、これらを天井裏や屋外に設置してもよい。
【０１００】
（実施例８）
図１１は本発明による負イオン発生装置４２を使用したサウナ装置の第２の実施例を示す概念図である。図１０と同一部分には同一符号を付して説明を省略する。
【０１０１】
本実施例は、負イオン発生装置４２を浴室４０の外、すなわち、屋外または屋内のサニタリ室等に設置した例である。負イオン発生装置４２が発生した負イオンを含む加温、加湿空気はダクト４５を通って浴室４０内に供給される。サウナ装置としての運転制御は、リモコン４４で負イオン発生装置４２に接続されたリモコン制御窓４６または浴室暖房乾燥機４３のリモコン制御窓（図示省略）に制御信号を送信して行う。その他の各部の構成、運転制御方法および作用効果は実施例７と同様であるので説明を省略する。
【０１０２】
この実施例は、浴室４０が狭い場合や、負イオン発生装置４２の水を加温する装置を実施例３〜実施例５で説明した熱源機２８、給湯器２９、ボイラ３１等で加温する場合に好適である。また、負イオン発生装置４２が高湿度の浴室４０内に設けられないことにより、制御装置などの信頼性が高まる。なお、負イオン発生装置４２を屋外に設置し壁内を貫通させた吸込ダクトと吹出ダクトで浴室内の空気に負イオンを付加しながら加湿することも可能である。
【０１０３】
また、実施例７と同様に浴室暖房乾燥機が既設の場合に負イオン発生装置４２を付け足して配線工事、配管工事をすることにより真気サウナ装置を実現することができる。
【０１０４】
なお、上記の実施例では浴室４０内に浴室暖房乾燥機４３を設置した場合について説明したが、これを天井裏や屋外に設置してもよい。
【０１０５】
（実施例９）
図１２は本発明による負イオン発生装置４２を使用したサウナ装置の第３の実施例を示す断面図である。図１１と同一部分には同一符号を付して説明を省略する。本実施例は、負イオン発生装置４２を浴室４０の外、すなわち、屋外４７または屋内のサニタリ室に設置した例である。
【０１０６】
浴室４０内に設置した浴室暖房乾燥機４３と壁面４８とのすきま４９から吸い込んだ浴室４０内の空気は、壁面４８の貫通口４９、換気部５０、ダクト７０を通って真気ユニット２１に供給される。熱源機２８から供給される８０℃温水をチーズ８０で分岐し、一方は熱動弁８１を通り、コイルチューブ３０１に流れている。前記コイルチューブ３０１は、市水が給水弁８２の開閉により流入するシスターン８３内に設けられ、市水を８０℃近くに温める。この温水が水タンク３０に流れ、真気ユニット２１で加温、加湿、負イオンの付加が行われた後、ダクト４５を通って吹出グリル８４から浴室４０内に吹出される。負イオン発生装置４２内には風路を切り換えるダンパ７１が設けられ、すきま４９からダクト７０を通って送り込まれる浴室４０内の空気は、真気ユニット２１に供給されるか屋外４７に排気されるかを切り換える。その他の各部の構成、運転制御方法および作用効果は実施例７と同様であるので説明を省略する。
【０１０７】
この実施例は、負イオン発生装置４２への浴室４０内の空気の吸込口として換気部５０の吸込、吐出口を使用することができるため、浴室４０内が正圧にならず、脱衣室などの浴室外へ湿気が漏れることを防止することができる。
【０１０８】
なお、上記の実施例では浴室暖房乾燥機４３が浴室４０内、負イオン発生装置４２を屋外４７に設置したが、浴室暖房乾燥機４３を天井裏や屋外に、負イオン発生装置４２を天井裏に設置してもよい。
【０１０９】
（実施例１０）
図１３は本発明による負イオン発生装置４２を使用したサウナ装置の第４の実施例を示す断面図である。図１２と同一部分には同一符号を付して説明を省略する。本実施例は、負イオン発生装置４２を天井裏６９に設置した例である。
【０１１０】
天井裏６９に設置した浴室暖房乾燥機８５の換気部８６から吸い込んだ浴室４０内の空気は、ダクト７０を通って、真気ユニット２１に供給され、加温、加湿、負イオンの付加が行われた後、ダクト４５を通って真気吸込口８７から吸い込まれ、浴室暖房乾燥機８５から浴室４０内に吹出される。負イオン発生装置４２内には風路を切り換えるダンパ７１が設けられ、浴室暖房乾燥機８５からダクト７０を通って送りこまれる浴室４０内の空気は、真気ユニット２１に供給されるか屋外４７に排気されるかを切り換える。その他の各部の構成、運転制御方法および作用効果は実施例７と同様であるので説明を省略する。
【０１１１】
この実施例は、負イオン発生装置４２への浴室４０内の空気の吸込、吹出口として浴室暖房乾燥機８５の吸込、吐出口を使用することができるため、浴室４０内の美観が向上し、天井裏６９でのダクト施工により、貫通口４９が一ヶ所で施工性が向上する。
【０１１２】
なお、ダクト４５等を廃止して、浴室暖房乾燥機機８５と負イオン発生装置４２を一体としてもよい。
【０１１３】
（実施例１１）
図１４は本発明による負イオン発生装置４２を使用したサウナ装置の第５の実施例を示す概念図である。図１２と同一部分には同一符号を付して説明を省略する。
【０１１４】
本実施例は、負イオン発生装置４２を浴室暖房乾燥機４３と一体に構成した例である。
【０１１５】
浴室４０内に設置した浴室暖房乾燥機４３のファン８９により、連結面８８に接続された負イオン発生装置４２内の真気ユニット２１の送風口６０から吸い込まれた浴室４０内の空気は噴射部５４に入り、微細水滴と混合する。
【０１１６】
真気ユニット２１の下方には手動で水を交換可能な水タンク９０がヒーター６４とともに設けられており、ヒーター６４で加温された水タンク９０内の温水はポンプ５２で前記噴射部５４に送水され、微細温水粒子となり、気水分離部５５で水分と空気に分離され、真気通風部９１を通って、浴室暖房乾燥機４３の吹出し口９２から浴室４０内に吹出される。
【０１１７】
サウナ装置としての運転制御は、リモコン４４（図示省略）で負イオン発生装置４２のリモコン制御窓（図示省略）、または浴室暖房乾燥機４３のリモコン制御窓４６に制御信号を送信して行う。その他の各部の構成、運転制御方法および作用効果は実施例７と同様であるので説明を省略する。
【０１１８】
この実施例は、負イオン発生装置４２と浴室暖房乾燥機４３を一体構成にしたので、内部の構成部品を共用化するなどして、真気サウナ装置としての構成をコンパクトにすることができる。
【０１１９】
なお、上記の実施例では浴室４０内に浴室暖房乾燥機４３および負イオン発生装置４２を設置した場合について説明したが、これらを天井裏または屋外に一体構成で設置してもよい。
【０１２０】
また、ヒーター６０を用いて水を加温したが、実施例３、４、５、６のように他の熱源により加温してもよい。
【０１２１】
また、水タンク９０に流れ込む水を加温する場所として、シスターンを設けても良い。
【０１２２】
【発明の効果】
以上のように、本発明による負イオン発生装置によれば、放出された空気が負イオンを含んでいるので、滝のそばや森林の空気のようにさわやかな空気となり健康増進に資することができる。
【０１２３】
また、放出される空気は暖かくすることが可能なため、冬季の暖房時に使用しても室温を下げることがなくしかも超微細水分を含んでいるので、冬季の加湿器として好適である。
【０１２４】
また、水が空気中のハウスダストや臭いのフィルターとして作用するので、空気清浄器としても機能することができる。
【０１２５】
また、構成簡単かつ小型で、高電圧やＸ線を利用することなく、トルマリンなどの特殊な部品も使用しないので、家屋や事務所などの使用に好適である。
【０１２６】
また、本発明によるサウナ装置は、通常の湿式サウナの作用効果に加え、負イオンにより肌への水分の働き作用が増大し、肌の潤いや保湿効果、サウナ効果の持続性に優れる。
【０１２７】
また、森林浴しながらサウナに浸っている状況になるので、自律神経が鎮静化してリラクゼーション効果が得られ、さらに、血管が拡張して血液の流れがスムースになり、血圧が安定するなど身体機能の活性化も図れる。
【０１２８】
また、サウナを使用後に浴室暖房乾燥機を乾燥モードまたは換気モードで運転することにより浴室内の乾燥、換気を急速に行うことができる。
【０１２９】
さらに、浴室暖房乾燥機が既設の場合でも負イオン発生装置を付け足すだけでサウナ環境に負イオンを含んだ小型の真気サウナ装置を実現することができる。
【図面の簡単な説明】
【図１】本発明による負イオン発生装置の第１の実施例における全体構成を示す概念的ブロック図
【図２】本発明の第１の実施例における負イオン発生装置の一部断面側面図
【図３】本発明の第２の実施例における負イオン発生装置の一部断面側面図
【図４】本発明による負イオン発生装置の第３の実施例における全体構成を示す概念的ブロック図
【図５】本発明による負イオン発生装置の第４の実施例における全体構成を示す概念的ブロック図
【図６】本発明による負イオン発生装置の第５の実施例における全体構成を示す概念的ブロック図
【図７】本発明による負イオン発生装置の第５の実施例における水水熱交換気を示す概念的ブロック図
【図８】本発明による負イオン発生装置の第５の実施例におけるファン＆チューブコイルを示す概念的ブロック図
【図９】本発明による負イオン発生装置の第６の実施例における全体構成を示す概念的ブロック図
【図１０】本発明によるサウナ装置の第１の実施例を示す概念図
【図１１】本発明によるサウナ装置の第２の実施例を示す概念図
【図１２】本発明によるサウナ装置の第３の実施例を示す概念図
【図１３】本発明によるサウナ装置の第４の実施例を示す概念図
【図１４】本発明によるサウナ装置の第５の実施例を示す概念図
【符号の説明】
１  ハウジング
２  吸込口
３  吹出口
４  モーター
４ａ  上部シャフト軸
４ｂ  下部シャフト軸
５  フレーム
６  軸流ファン
７  水滴分離ネット
８  ナット
９  吸水管
９ａ  吸水口
９ｂ  回転板
１３  ケーシング
１２、５５  気水分離器
１４  対向壁面
１７、２７  加温器
１８  吸込空気
１９  排水管
２０、４２  負イオン発生装置
２１  真気ユニット
２３  吹出空気
２５、３０、５９、９０  水タンク
２６、６４  ヒーター
２８  熱源機
２９  給湯器
３１  ボイラ
３２、４３、８５  浴室暖房乾燥機
４０  浴室
４１  浴槽
４４  リモコン
４５、７０  ダクト
４６  リモコン制御窓
４７  屋外
４８  壁面
４９  貫通口
５０、９６  換気部
５１、８９  ファン
５２  ポンプ
５３  空気清浄部
５４  噴射部
５７  円筒
５８  筒受け
６０  送風口
６１  送風箱
６２、６３  ノズル
６９  天井裏
７１  ダンパ
８０  チーズ
８１  熱動弁
８２  給水弁
８３  シスターン
８４  吹出グリル
８７  真気吸込口
８８  連結面
９１  真気通風部
９２  吹出口
３０１  コイルチューブ
３０２  水−水熱交換器
３０３  フィン＆チューブコイル
【図１】
0004425522.tif 000002
【図２】
0004425522.tif 000003
【図３】
0004425522.tif 000004
【図４】
0004425522.tif 000005
【図５】
0004425522.tif 000006
【図６】
0004425522.tif 000007
【図７】
0004425522.tif 000008
【図８】
0004425522.tif 000009
【図９】
0004425522.tif 000010
【図１０】
0004425522.tif 000011
【図１１】
0004425522.tif 000012
【図１２】
0004425522.tif 000013
【図１３】
0004425522.tif 000014
【図１４】
0004425522.tif 000015